(57)【要約】【課題】臀部支持部材や背面支持部材を回動させて使用者の体位を変更する間に使用者が皮膚表面に受ける力を低減することのできる身体支持装置を提供する。【解決手段】第１の連結部１０ｄは、臀部支持部材１の後端側に第１背面支持部材１０ｄを前後方向に回動自在に連結するとともに、回動中心１０ｅが各支持部材１，１０，２０，３０，４０，５０の上側表面によって形成された身体支持面ＳＦの上面側に配置されている。また、第２、第３及び第４の連結部２０ｄ、３０ｄ、４０ｄは、各背面支持部材１０，２０，３０，４０の互いに隣接する端部同士を前後方向に回動可能に連結するとともに、回動中心２０ｅ，２０ｅ，４０ｅが各支持部材１，１０，２０，３０，４０，５０の上側表面によって形成された身体支持面ＳＦの上面側に配置されている。【選択図】図３
2010233856.tif 000002
【特許請求の範囲】
【請求項１】
臀部近傍を支持する臀部支持部材と、臀部支持部材の後端側に上半身を支持するように配置されるとともに互いに前後方向に並ぶように配置された複数の背面支持部材とを備え、各支持部材の上側表面によって身体を支持するための身体支持面が形成されている身体支持構造において、
前記臀部支持部材の後端側に各背面支持部材のうち最も前側の背面支持部材を前後方向に回動可能に連結する第１回動連結部と、
各背面支持部材の互いに隣接する端部同士を前後方向に回動可能に連結する第２回動連結部とを備え、
各回動連結部の回動中心を、前記身体支持面の上面側に身体支持面と所定の間隔をおいて配置した
ことを特徴とする身体支持装置。
【請求項２】
前記所定の間隔を５ｃｍ以上１５ｃｍ以下とした
ことを特徴とする請求項１に記載の身体支持装置。
【請求項３】
前記最も前側の背面支持部材を臀部支持部材に対して回動させる第１駆動装置と、
各背面支持部材を互いに回動させる第２駆動装置とを備えた
ことを特徴とする請求項１または２の何れかに記載の身体支持装置。
【請求項４】
前記最も前側の背面支持部材の臀部支持部材に対する回動位置及び各背面支持部材の隣接する背面支持部材に対する回動位置を複数パターン記憶している制御装置を備え、
制御装置に記憶されている前記複数パターンの回動位置に基づき、制御装置が各駆動装置によって最も前側の背面支持部材の臀部支持部材に対する回動位置や各背面支持部材の隣接する背面支持部材に対する回動位置を変更するように構成した
ことを特徴とする請求項３に記載の身体支持装置。
【請求項５】
前記各支持部材の上側表面を覆う伸縮性を有するカバーを備えた
ことを特徴とする請求項１、２、３または４の何れかに記載の身体支持装置。
【請求項６】
前記臀部支持部材及び少なくとも一部の背面支持部材にそれぞれ複数のエアーセルを配置し、臀部支持部材及び前記少なくとも一部の背面支持部材の上側表面を各エアーセルの上端面によって形成した
ことを特徴とする請求項１、２、３、４または５の何れかに記載の身体支持装置。
【請求項７】
前記各背面支持部材のうち一部の背面支持部材に、使用者の背面の中心から幅方向両側に所定距離れた位置をそれぞれ前方に向かって押圧可能な一対の押圧部材を備えた
ことを特徴とする請求項１、２、３、４、５または６の何れかに記載の身体支持装置。
【発明の詳細な説明】
【技術分野】
【０００１】
本発明は、ベッド、リクライニング椅子、チルト車椅子等の身体を支持するための身体支持装置に関するものである。
【背景技術】
【０００２】
一般に、この種の身体支持装置としては、使用者の臀部を支持する臀部支持部材と、臀部支持部材の後端側に前後方向に回動可能に支持されて使用者の腰部を支持する第１背面支持部材と、第１背面支持部材の後端側に前後方向に回動可能に支持されて使用者の背中及び頭部を支持する第２背面支持部材とを備え、使用者の体位を臥位（寝ている状態）から座位（座っている状態）に変更可能なベッドが知られている（例えば、特許文献１参照。）。
【先行技術文献】
【特許文献】
【０００３】
【特許文献１】特開２００４−１５９８５２号公報
【発明の概要】
【発明が解決しようとする課題】
【０００４】
ところで、前記ベッドでは、臀部支持部材に対して第１背面支持部材を前方に向かって回動させるとともに、第１背面支持部材に対して第２背面支持部材を前方に向かって回動させることにより、使用者の体位を臥位から座位に変更するようにしているが、この時に臀部支持部材の表面と使用者の臀部との間に着座面前後方向の力が生ずる場合があり、各背面支持部材の表面と使用者の背面との間に着座面前後方向の力が生ずる場合もある。
【０００５】
これは、図６に示すように、使用者の体位を臥位から座位に変更する間に骨盤が回転し、この回転によって骨盤より下半身側が前方に向かって移動する傾向があるとともに、骨盤の回転によって使用者の座高が徐々に高くなる傾向があるからであり、例えば、骨盤より下半身側の前方への移動が両足とフットレストとの摩擦等によって抑制される場合は、使用者の臀部と臀部支持部材との相対的な移動が生ずるとともに、使用者の背面と各背面支持部材との相対的な移動が生じ、これらの相対的な移動に応じて使用者の皮膚の表面に力が生ずることになる。
【０００６】
また、健常者であればこの力を感じ取るとともに、自ら身体を動かすことによりこの力を取除くことができるが、感じる能力や動く能力に不全がある場合は、自ら身体を動かすことによりこの力を取除くことができず、褥瘡発生の原因になり得るという問題点があった。
【０００７】
本発明は前記問題点に鑑みてなされたものであり、その目的とするところは、臀部支持部材や背面支持部材を回動させて使用者の体位を変更する間に使用者が皮膚表面に受ける力を低減することのできる身体支持装置を提供することにある。
【課題を解決するための手段】
【０００８】
本発明は前記目的を達成するために、本発明は、臀部近傍を支持する臀部支持部材と、臀部支持部材の後端側に上半身を支持するように配置されるとともに互いに前後方向に並ぶように配置された複数の背面支持部材とを備え、各支持部材の上側表面によって身体を支持するための身体支持面が形成されている身体支持構造において、前記臀部支持部材の後端側に各背面支持部材のうち最も前側の背面支持部材を前後方向に回動可能に連結する第１回動連結部と、各背面支持部材の互いに隣接する端部同士を前後方向に回動可能に連結する第２回動連結部とを備え、各回動連結部の回動中心を、前記身体支持面の上面側に身体支持面と所定の間隔をおいて配置している。
【０００９】
これにより、第１回動連結部は、臀部支持部材の後端側に最も前側の背面支持部材を前後方向に回動可能に連結するとともに、回動中心が各支持部材によって形成された身体支持面の上面側に連結され、また、第２回動連結部は、各背面支持部材の互いに隣接する端部同士を前後方向に回動可能に連結するとともに、回動中心が各支持部材によって形成された身体支持面の上面側に配置されているので、例えば臀部支持部材に対して最も前側の背面支持部材を前方へ回動させるとともに、前側の背面支持部材に対して後側の背面支持部材を前方へ回動させることにより、使用者の体位を臥位から座位に変更することができ、この時に臀部支持部材と最も前側の背面支持部材との間の距離が徐々に大きくなるとともに、各背面支持部材の間の距離が徐々に大きくなる。即ち、使用者の体位を臥位から座位に変更する間に骨盤が前方に向かって回転し、この回転によって使用者の座高が徐々に高くなる場合でも、使用者の臀部と臀部支持部材との相対的な移動や使用者の上半身と各背面支持部材との相対的な移動を低減することができる。
【発明の効果】
【００１０】
本発明の身体支持装置によれば、使用者の臀部と臀部支持部材との相対的な移動や使用者の上半身と各背面支持部材との相対的な移動を低減することができるので、臀部支持部材や各背面支持部材を回動させて使用者の体位を変更する間に使用者が皮膚表面に受ける力を低減することができ、褥瘡防止や使用者の快適性の向上を図ることが可能となる。
【図面の簡単な説明】
【００１１】
【図１】本発明の一実施形態を示すカバー部材を取付ける前の椅子の平面図
【図２】椅子の側面断面図
【図３】椅子の動作説明図
【図４】椅子の動作説明図
【図５】本実施形態の変形例を示す椅子の平面図
【図６】身体の骨格の動作説明図
【発明を実施するための形態】
【００１２】
本発明の一実施形態の身体支持構造を図１乃至図４を参照しながら説明する。また、この身体支持構造は例えば図１乃至図４に示す椅子に適用されている。尚、以下文章中の方向の説明は図１及び図２に示した方向に準ずる。
【００１３】
この椅子は、ベース２に支持されている臀部支持部材１と、臀部支持部材１の後端側に前後方向に回動可能に連結された第１背面支持部材１０と、第１背面支持部材１０の後端側に前後方向に回動可能に連結された第２背面支持部材２０と、第２背面支持部材２０の後端側に前後方向に回動可能に連結された第３背面支持部材３０と、第３背面支持部材３０の後端側に前後方向に回動可能に連結された第４背面支持部材４０と、臀部支持部材１の前端側に前後方向に回動可能に連結された脚部支持部材５０とを備えている。
【００１４】
臀部支持部材１は、平板状の支持部材本体１ａと、支持部材本体１ａの上面に取付けられたクッション１ｂと、支持部材本体１ａの幅方向両端にそれぞれ取付けられた一対の連結用フレーム１ｃとを有する。図１及び図２に示すように、支持部材本体１ａが水平な状態において、各連結用フレーム１ｃは支持部材本体１ａの幅方向両端から上方に向かって延びるように形成されている。
【００１５】
第１背面支持部材１０は、平板状の支持部材本体１０ａと、支持部材本体１０ａの上面に取付けられたクッション１０ｂと、支持部材本体１０ａの幅方向両端にそれぞれ取付けられた一対の連結用フレーム１０ｃとを有する。図１及び図２に示すように、支持部材本体１０ａが水平な状態において、各連結用フレーム１０ｃは支持部材本体１０ａの幅方向両端から上方に向かって延びるように形成されている。
【００１６】
第２背面支持部材２０は、平板状の支持部材本体２０ａと、支持部材本体２０ａの上面に取付けられたクッション２０ｂと、支持部材本体２０ａの幅方向両端にそれぞれ取付けられた一対の連結用フレーム２０ｃとを有する。図１及び図２に示すように、支持部材本体２０ａが水平な状態において、各連結用フレーム２０ｃは支持部材本体２０ａの幅方向両端から上方に向かって延びるように形成されている。
【００１７】
第３背面支持部材３０は、平板状の支持部材本体３０ａと、支持部材本体３０ａの上面に取付けられたクッション３０ｂと、支持部材本体３０ａの幅方向両端にそれぞれ取付けられた一対の連結用フレーム３０ｃとを有する。図１及び図２に示すように、支持部材本体３０ａが水平な状態において、各連結用フレーム３０ｃは支持部材本体３０ａの幅方向両端から上方に向かって延びるように形成されている。
【００１８】
第４背面支持部材４０は、平板状の支持部材本体４０ａと、支持部材本体４０ａの上面に取付けられたクッション４０ｂと、支持部材本体４０ａの幅方向両端にそれぞれ取付けられた一対の連結用フレーム４０ｃとを有する。図１及び図２に示すように、支持部材本体４０ａが水平な状態において、各連結用フレーム４０ｃは支持部材本体４０ａの幅方向両端から上方に向かって延びるように形成されている。
【００１９】
脚部支持部材５０は、平板状の支持部材本体５０ａと、支持部材本体５０ａの上面に取付けられたクッション５０ｂと、支持部材本体５０ａの幅方向両端にそれぞれ取付けられた一対の連結用フレーム５０ｃとを有する。図１及び図２に示すように、支持部材本体５０ａが水平な状態において、各連結用フレーム５０ｃは支持部材本体５０ａの幅方向両端から上方且つ後方に向かって延びるように形成されている。
【００２０】
クッション１ｂ，１０ｂ，２０ｂ，３０ｂ，４０ｂ，５０ｂはウレタンフォームや布材等を用いて形成された周知の構造を有する。また、各支持部材１，１０，２０，３０，４０，５０のクッション１ｂ，１０ｂ，２０ｂ，３０ｂ，４０ｂ、５０ｂの上側表面によって使用者の身体を支持するための身体支持面ＳＦが形成されている。
【００２１】
図２及び図３に示すように、臀部支持部材１の各連結用フレーム１ｃの上端側且つ後端側と、第１背面支持部材１０の各連結用フレーム１０ｃの上端側且つ前端側とが、前後方向に回動可能に連結されている。また、この第１の連結部１０ｄの回動中心１０ｅは、臀部支持部材１のクッション１ｂの身体支持面ＳＦの上面側に身体支持面ＳＦと５ｃｍ以上１５ｃｍ以下の間隔をおいて配置され、第１背面支持部材１０のクッション１０ｂの身体支持面ＳＦの上面側に身体支持面ＳＦと５ｃｍ以上１５ｃｍ以下の間隔をおいて配置されている。
【００２２】
図２及び図３に示すように、第１背面支持部材１０の各連結用フレーム１０ｃの上端側且つ後端側と、第２背面支持部材２０の各連結用フレーム２０ｃの上端側且つ前端側とが、前後方向に回動可能に連結されている。また、この第２の連結部２０ｄの回動中心２０ｅは、第１背面支持部材１０のクッション１０ｂの身体支持面ＳＦの上面側に身体支持面ＳＦと５ｃｍ以上１５ｃｍ以下の間隔をおいて配置され、第２背面支持部材２０のクッション２０ｂの身体支持面ＳＦの上面側に身体支持面ＳＦと５ｃｍ以上１５ｃｍ以下の間隔をおいて配置されている。
【００２３】
図２及び図３に示すように、第２背面支持部材２０の各連結用フレーム２０ｃの上端側且つ後端側と、第３背面支持部材３０の各連結用フレーム３０ｃの上端側且つ前端側とが、前後方向に回動可能に連結されている。また、この第３の連結部３０ｄの回動中心３０ｅは、第２背面支持部材２０のクッション２０ｂの身体支持面ＳＦの上面側に身体支持面ＳＦと５ｃｍ以上１５ｃｍ以下の間隔をおいて配置され、第３背面支持部材３０のクッション３０ｂの身体支持面ＳＦの上面側に身体支持面ＳＦと５ｃｍ以上１５ｃｍ以下の間隔をおいて配置されている。
【００２４】
図２及び図３に示すように、第３背面支持部材３０の各連結用フレーム３０ｃの上端側且つ後端側と、第４背面支持部材４０の各連結用フレーム４０ｃの上端側且つ前端側とが、前後方向に回動可能に連結されている。また、この第４の連結部４０ｄの回動中心４０ｅは、第３背面支持部材３０のクッション３０ｂの身体支持面ＳＦの上面側に身体支持面ＳＦと５ｃｍ以上１５ｃｍ以下の間隔をおいて配置され、第４背面支持部材４０のクッション４０ｂの身体支持面ＳＦの上面側に身体支持面ＳＦと５ｃｍ以上１５ｃｍ以下の間隔をおいて配置されている。
【００２５】
尚、第１の連結部１０ｄは特許請求の範囲に記載した第１回動連結部に相当し、第２、第３及び第４の連結部２０ｄ，３０ｄ，４０ｄは特許請求の範囲に記載した第２回動連結部に相当する。
【００２６】
図２及び図３に示すように、臀部支持部材１の各連結用フレーム１ｃの前端側と、脚部支持部材５０の各連結用フレーム５０ｃの上端側且つ後端側とが、前後方向に回動可能に連結されている。また、この第５の連結部５０ｄの回動中心５０ｅは、臀部支持部材１のクッション１ｂの身体支持面ＳＦの上面側に配置されて、脚部支持部材５０のクッション５０ｂの身体支持面ＳＦの上面側に配置されている。
【００２７】
また、各支持部材１，１０，２０，３０，４０，５０のクッション１ｂ，１０ｂ．２０ｂ，３０ｂ，４０ｂ，５０ｂの上側表面が伸縮性を有するカバー６０によって覆われている。
【００２８】
臀部支持部材１の各連結用フレーム１ｃの中にはそれぞれシリンダ３が設けられ、シリンダ３の一端は臀部支持部材１の連結用フレーム１ｃに連結され、シリンダ３の他端は第１背面支持部材１０の連結用フレーム１０ｃに連結されている。即ち、シリンダ３を伸縮することにより、臀部支持部材１に対して第１背面支持部材１０が第１の連結部１０ｄの回動中心１０ｅを中心にして前後方向に回動する。
【００２９】
各背面支持部材１０，２０，３０の支持部材本体１０ａ，２０ａ，３０ａ下面にはそれぞれシリンダ１１，２１，３１の一端が連結され、各シリンダ１１，２１，３１の他端はそれぞれ各背面支持部材２０，３０，４０の下面に連結されている。即ち、各シリンダ１１，２１，３１を伸縮することにより、各背面支持部材１０，２０，３０，４０が各連結部２０ｄ，３０ｄ，４０ｄの回動中心２０ｅ，３０ｅ，４０ｅを中心にして互いに前後方向に回動する。
【００３０】
臀部支持部材１の下方にはシリンダ５１が設けられ、シリンダ５１の一端がベース２の上面に連結され、シリンダ５１の他端が脚部支持部材５０の支持部材本体５０ａの下面に連結されている。即ち、シリンダ５１を伸縮することにより、臀部支持部材１に対して脚部支持部材５０が第５の連結部５０ｄの回動中心５０ｅを中心にして前後方向に回動するようになっている。
【００３１】
臀部支持部材１の下方にはシリンダ４及びシリンダ５が設けられ、各シリンダ４，５の一端はベース２の上面に連結され、各シリンダ４，５の他端は臀部支持部材１の支持部材本体１ａの下面に連結されている。また、臀部支持部材１は各シリンダ４，５を介してベース２に支持されており、各シリンダ４，５をそれぞれ伸縮させることにより、臀部支持部材１の高さや前後方向の傾斜角度が調整されるようになっている。
【００３２】
以上のように構成された椅子においては、例えば使用者の臀部が臀部支持部材１のクッション１ｃによって支持され、使用者の臀部の後側面及び腰椎近傍が第１背面支持部材１０によって支持され、使用者の胸椎の近傍が第２及び第３背面支持部材２０，３０によって支持され、使用者の頸椎及び頭部が第４背面支持部材４０によって支持され、使用者の膝下が脚部支持部材５０によって支持される。
【００３３】
ここで、第１の連結部１０ｄは、臀部支持部材１の後端側に第１背面支持部材１０ｄを前後方向に回動自在に連結するとともに、回動中心１０ｅが各支持部材１，１０，２０，３０，４０，５０の上側表面によって形成された身体支持面ＳＦの上面側に配置されている。また、第２、第３及び第４の連結部２０ｄ、３０ｄ、４０ｄは、各背面支持部材１０，２０，３０，４０の互いに隣接する端部同士を前後方向に回動可能に連結するとともに、回動中心２０ｅ，２０ｅ，４０ｅが各支持部材１，１０，２０，３０，４０，５０の上側表面によって形成された身体支持面ＳＦの上面側に配置されている。このため、図３に示すように、臀部支持部材１に対して第１回動支持部材１０を前方へ回動させるとともに、第２回動支持部材２０に対して第３回動支持部材３０を前方へ回動させ、第３回動支持部材３０に対して第４回動支持部材４０を前方へ回動させることにより、使用者の体位を臥位から座位に変更することができ、この時に臀部支持部材１と第１背面支持部材１０との間の距離が徐々に大きくなるとともに、各背面支持部材２０，３０，４０の間の距離が徐々に大きくなる。即ち、使用者の体位を臥位から座位に変更する間に骨盤が前方に向かって回転し、この回転によって使用者の座高が徐々に高くなる場合でも、使用者の臀部と臀部支持部材１との相対的な移動や使用者の上半身と各背面支持部材１０，２０，３０との相対的な移動を低減することができる。
【００３４】
尚、本実施形態では、第２背面支持部材２０を第１背面支持部材１０に対して後方へ回動させ、第１背面支持部材１０及び第２背面支持部材２０を使用者の腰部上側の形状に沿わせるようにしている。ここで、腰椎の上端側及び胸椎の下端側の範囲は座位において前方に凸湾曲する傾向があるため、第１背面支持部材１０に対して第２背面支持部材２０を後方に回動させることにより、使用者の背面と各背面支持部材１０，２０との相対的な移動を低減することが可能となる。一方、座位において腰椎の上端側及び胸椎の下端側の範囲が後方に凸湾曲する場合は、第２背面支持部材２０を第１背面支持部材１０に対して前方へ回動させることが可能である。
【００３５】
このように、本実施形態によれば、使用者の臀部と臀部支持部材１との相対的な移動や使用者の上半身と各背面支持部材１０，２０，３０，４０との相対的な移動を低減することができるので、臀部支持部材１や各背面支持部材２０を回動させて使用者の体位を変更する間に使用者が皮膚表面に受ける力を低減することができ、褥瘡防止や使用者の快適性の向上を図ることが可能となる。
【００３６】
ここで、身体は、その姿勢を前後方向に変更する際に、側面側から見て、腰椎、胸椎及び頚椎から成る脊椎と、股関節と、膝関節とを中心にして動き、例えば上半身を前方に曲げる場合は、脊椎自体の長さは殆んど変わらずに脊椎が後方に凸湾曲するので、脊椎よりも前側の皮膚表面が縮むとともに後側の皮膚表面が伸びる傾向がある。また、脊椎や股関節は上半身や臀部の後側表面から５〜１０ｃｍ程度の所にある場合が多い。このため、第１、第２、第３及び第４の連結部１０ｄ，２０ｄ，３０ｄ，４０ｄが各身体支持面ＳＦの上面側に５ｃｍ以上１５ｃｍ以下の間隔をおいて配置されていることから、各連結部１０ｄ，２０ｄ，３０ｄ，４０ｄが脊椎と同等の高さ位置に配置される。また、例えば第１背面支持部材１０が臀部支持部材１に対して前方に回動し、上側の背面支持部材が下側の背面支持部材に対して前方に回動すると、各連結部１０ｄ，２０ｄ，３０ｄ，４０ｄの間の距離は変わらずに、臀部支持部材１と第１背面支持部材１０との間隔が大きくなるとともに、各背面支持部材１０，２０，３０，４０の間隔が大きくなる。即ち、臀部支持部材１と第１背面支持部材１０との間隔や、各背面支持部材１０，２０，３０，４０の間隔が身体の皮膚の伸縮に応じて変化し、褥瘡防止や使用者の快適性の向上を図る上で極めて有利である。
【００３７】
また、各支持部材１，１０，２０，３０，４０，５０のクッション１ｂ，１０ｂ．２０ｂ，３０ｂ，４０ｂ，５０ｂの上側表面が伸縮性を有するカバー６０によって覆われている。このため、カバー６０が無く使用者の皮膚と各支持部材１，１０，２０，３０，４０，５０とが直接接触し、また、クッション１ｂ，１０ｂ．２０ｂ，３０ｂ，４０ｂ，５０ｂが比較的硬い場合は、各支持部材１，１０，２０，３０，４０，５０の間隔が変化する時に、使用者の皮膚が局部的に伸縮させられる可能性があるが、カバー６０を介在させることにより、各支持部材１，１０，２０，３０，４０，５０の間隔の変化を分散させ、使用者の皮膚が局部的に伸縮させられることを防止することができるので、褥瘡防止や使用者の快適性の向上を図る上で極めて有利である。
【００３８】
尚、臀部支持部材１に対する第１背面支持部材１の回動位置、各背面支持部材１０，２０，３０，４０の隣接する背面支持部材に対する回動位置、及び臀部支持部材１に対する脚部支持部材５０の回動位置を複数パターン記憶している周知のコンピュータから成る制御装置を設けることも可能である。この場合、制御装置に記憶されている前記複数パターンの回動位置に基づき、制御装置が各シリンダ３，１１，２１，３１，４１，５１によって臀部支持部材１に対する第１背面支持部材１０の回動位置や各背面支持部材１０，２０，３０，４０の隣接する背面支持部材に対する回動位置や臀部支持部材１に対する脚部支持部材５０の回動位置を制御することも可能である。これにより、各支持部材の回動位置を予め設定されている複数のパターンに基づいて調整することができ、各支持部材の回動位置の調整を容易に行うことができる。
【００３９】
尚、図５に示すように、臀部支持部材１にクッション１ｂの代わりに周知の複数のエアーセルＡＣを配置することも可能であり、各背面支持部材１０，２０，３０のクッション１０ｂ，２０ｂ，３０ｂの代わりに周知の複数のエアーセルＡＣを配置することも可能である。この場合、各支持部材１，１０，２０，３０の上側表面は各エアーセルの上端面によって形成される。
【００４０】
また、第１背面支持部材１０及び第２背面支持部材２０の幅方向両側に大きなエアーセルＡＣＬを一対ずつ設け、使用者の背面の中心から幅方向両側に５ｃｍ以上離れた位置をそれぞれ前方に向かって押圧可能に各エアーセルＡＣＬを形成することも可能である。この場合、各エアーセルＡＬＣ内の空気量をそれぞれ調整可能な空気量調整機器が設けられ、各エアーセルＡＬＣ内の空気量を調整することにより、各エアーセルＡＬＣによって使用者の背面が前方に向かって押圧される。エアーセルＡＬＣを左右交互に膨張させることにより、使用者の体位を定期的に変化させることができ、褥瘡の防止を図る上で有利である。空気量調整機器は周知の電動ポンプや電磁弁から構成することが可能である。
【００４１】
尚、本実施形態では、４つの背面支持部材１０，２０，３０，４０を設けたものを示したが、背面支持部材を２つにすることも可能であり、５つ以上にすることも可能である。
【００４２】
また、本実施形態では、１つの臀部支持部材１を設けたものを示したが、臀部支持部材を２つ以上設けることも可能である。
【００４３】
尚、本実施形態では、椅子によって使用者の身体を支持するものを示したが、ベッドやチルト車椅子等の身体を支持するための他の身体支持装置に前述の構成を用いることも可能であり、前述と同様の作用効果を達成することが可能である。
【符号の説明】
【００４４】
１…臀部支持部材、１ａ…支持部材本体、１ｂ…クッション、１ｃ…連結用フレーム、２…ベース、３…シリンダ、１０…第１背面支持部材、１０ａ…支持部材本体、１０ｂ…クッション、１０ｃ…連結用フレーム、１０ｄ…第１の連結部、１０ｅ…回動中心、１１…シリンダ、２０…第２背面支持部材、２０ａ…支持部材本体、２０ｂ…クッション、２０ｃ…連結用フレーム、２０ｄ…第２の連結部、２０ｅ…回動中心、２１…シリンダ、３０…第３背面支持部材、３０ａ…支持部材本体、３０ｂ…クッション、３０ｃ…連結用フレーム、３０ｄ…第３の連結部、３０ｅ…回動中心、３１…シリンダ、４０…第４背面支持部材、４０ａ…支持部材本体、４０ｂ…クッション、４０ｃ…連結用フレーム、４０ｄ…第４の連結部、４０ｅ…回動中心、５０…脚部支持部材、５０ａ…支持部材本体、５０ｂ…クッション、５０ｃ…連結用フレーム、５０ｄ…第５の連結部、５０ｅ…回動中心、６０…カバー。
【図１】
2010233856.tif 000003
【図２】
2010233856.tif 000004
【図３】
2010233856.tif 000005
【図４】
2010233856.tif 000006
【図５】
2010233856.tif 000007
【図６】
2010233856.tif 000008